(57)【要約】【課題】  複数種類の周辺装置の切換えを可能にする信号切換装置を得る。【解決手段】  信号切換装置は、複数のコンピュータ１、２、３に対応するように設けられたＤＳＵＢコネクタ、ミニＤＩＮコネクタ、ミニＤＩＮコネクタ、ＤＩＮコネクタと、ＣＲＴ５、６、マウス７、８、ストロークキーボード９、１０、画面タッチ操作信号に対応するように設けられたＤＳＵＢコネクタ、ミニＤＩＮコネクタ、ミニＤＩＮコネクタ、ＤＩＮコネクタとを切換えスイッチ１１により接続を切換えるように構成され、コンピュータおよび周辺装置のいずれかが故障したときは、正常な装置に切換え使用するようにして、システムの柔軟性を高めたものである。【選択図】図１
2006331102.tif 000002
【特許請求の範囲】
【請求項１】
複数のコンピュータに接続され、複数種類のコネクタを有する第一のコネクタ群、複数の周辺機器に接続され、上記第一のコネクタ群に対応する複数種類のコネクタを有する第二のコネクタ群、上記第一のコネクタ群および上記第二のコネクタ群内の対応するコネクタを選択して接続する切換えスイッチを備え、上記第二のコネクタ群は、上記周辺機器の入力機器が接続される第一の種類のコネクタと、上記周辺機器の表示装置が接続される第二の種類のコネクタとを有することを特徴とする信号切換装置。
【請求項２】
上記第二のコネクタ群は、上記上記表示装置から上記表示装置の画面タッチ操作信号が入力される第三の種類のコネクタを有することを特徴とする請求項１記載の信号切換装置。
【請求項３】
上記第一の種類のコネクタは、ミニＤＩＮコネクタであり、上記第二の種類のコネクタは、ＤＳＵＢコネクタであることを特徴とする請求項１記載の信号切換装置。
【請求項４】
上記第三の種類のコネクタは、ＤＩＮコネクタであることを特徴とする請求項２記載の信号切換装置。
【発明の詳細な説明】
【技術分野】
【０００１】
この発明は、コンピュータ本体またはコンピュータに接続される周辺機器が故障した場合に、オンライン状態でその接続先の切換えを行う信号切換装置に関するものである。
【背景技術】
【０００２】
従来の信号切換装置として、例えば、特許文献１には、並列運転される第１ＣＰＵおよび第２ＣＰＵと、故障診断用ＣＰＵと、複数の入出力装置と、複数のバス切換装置を備え、バス切換装置により、各入出力装置を、バスラインを通じて第１ＣＰＵ、第２ＣＰＵおよび故障診断用ＣＰＵのいずれか一つに選択的に切換接続可能にしたものが示されている。
【０００３】
【特許文献１】特開昭５６−１２１１６９号公報（第２〜３頁、図２）
【発明の開示】
【発明が解決しようとする課題】
【０００４】
特許文献１の信号切換装置は、入出力装置が故障した場合は、互いにバックアップが図れるようになっている。しかしながら、入出力装置がＣＲＴの場合には、ＣＲＴの故障には対応できても、いろいろな周辺機器であるマウスやストロークキーボードが故障した場合や、ＣＲＴに画面タッチ操作の検出機能が備わっている場合には、ＣＲＴの画面表示のみを切換えるようにした信号切換装置だけではバックアップできないという問題があった。つまり、多種類の周辺機器には対応できていないという問題がある。
【０００５】
この発明は、上述のような課題を解決するためになされたものであり、複数種類の周辺装置の切換えを可能にする信号切換装置を得ることを目的としている。
【課題を解決するための手段】
【０００６】
この発明に係わる信号切換装置においては、複数のコンピュータに接続され、複数種類のコネクタを有する第一のコネクタ群、複数の周辺機器に接続され、第一のコネクタ群に対応する複数種類のコネクタを有する第二のコネクタ群、第一のコネクタ群および第二のコネクタ群内の対応するコネクタを選択して接続する切換えスイッチを備え、第二のコネクタ群は、周辺機器の入力機器が接続される第一の種類のコネクタと周辺機器の表示装置が接続される第二の種類のコネクタとを有するものである。
【発明の効果】
【０００７】
この発明は、以上説明したように、複数のコンピュータに接続され、複数種類のコネクタを有する第一のコネクタ群、複数の周辺機器に接続され、第一のコネクタ群に対応する複数種類のコネクタを有する第二のコネクタ群、第一のコネクタ群および第二のコネクタ群内の対応するコネクタを選択して接続する切換えスイッチを備え、第二のコネクタ群は、周辺機器の入力機器が接続される第一の種類のコネクタと周辺機器の表示装置が接続される第二の種類のコネクタとを有するので、コンピュータと複数種類の周辺装置との接続を切換えることにより、柔軟性、冗長性の高いコンピュータシステムを構築することができる。
【発明を実施するための最良の形態】
【０００８】
実施の形態１．
以下、この発明の実施の形態１を図に基づいて説明する。
図１は、この発明の実施の形態１による信号切換装置を示すシステム構成図である。
図１において、コンピュータ本体１、２、３は、信号切換装置４の第一のコネクタ群に接続されている。信号切換装置４の第二のコネクタ群には、画面タッチ操作検出機能付ＣＲＴ５、６およびマウス７、８並びにストロークキーボード９、１０が接続されている。そしてこの信号切換装置４は、コンピュータ本体１、２、３と、画面タッチ操作検出機能付ＣＲＴ５、６およびマウス７、８並びにストロークキーボード９、１０との接続を切換える切換えスイッチ１１を有している。
この場合、ＣＲＴ５、６、マウス７、８及びストロークキーボード９、１０は、コンピュータ本体１、２、３には直接接続せず、図１のように、全て信号切換装置４に接続される。また、コンピュータ本体１、２、３のＣＲＴ、マウス、ストロークキーボード接続口も、信号切換装置４の切換えスイッチ１１のコネクタと接続するようになっている。
【０００９】
ここで、切換えスイッチ１１のコネクタＡ、Ｂ、Ｃ、Ｄは、コンピュータ本体１と接続され、コネクタＥ、Ｆ、Ｇ、Ｈは、コンピュータ本体２と接続され、コネクタＩ、Ｊ、Ｋ、Ｌは、コンピュータ本体３と接続される。
ストロークキーボード９、１０は、それぞれミニＤＩＮコネクタＡ、Ｅ、Ｉ（第一の種類のコネクタ）のいずれかに切換えられて接続され、マウス７、８は、それぞれミニＤＩＮコネクタＢ、Ｆ、Ｊのいずれかに切換えられて接続され、ＣＲＴ５、６は、それぞれＤＳＵＢコネクタＣ、Ｇ、Ｋ（第二の種類のコネクタ）のいずれかに切換えられて接続され、ＣＲＴ５、６の画面タッチ操作信号は、それぞれＤＩＮコネクタＤ、Ｈ、Ｌ（第三の種類のコネクタ）のいずれかに切換えられて接続されるようになっている。
【００１０】
次に、動作について説明する。
図１では、コンピュータ１と、ＣＲＴ５、マウス７、ストロークキーボード９とが対応し、コンピュータ２と、ＣＲＴ６、マウス８、ストロークキーボード１０とが対応するように、１対１で対応して接続させる設定になっている。
この状態下で、ＣＲＴ５が故障したとすると、コンピュータ１の画面が見ることができなくなるため、信号切換装置４の切換えスイッチ１１を操作して正常な（他方の）ＣＲＴ６の接続をＧからＣへ変更し、コンピュータ１の画面を正常な（他方の）ＣＲＴ６へ表示させるように切換える。同様に、ＣＲＴ６が故障したとしても、切換えスイッチ１１にてＣＲＴ５の接続をＣからＧへ切換えて、コンピュータ２の画面をＣＲＴ５へ表示させることができる。
【００１１】
また、新たにコンピュータ３を使用する場合は、ＣＲＴ５、６のいずれかを信号切換装置４の切換えスイッチ１１で選択することにより、コンピュータ３の表示が可能となる。
さらに、マウス７やストロークキーボード９が故障で使用不可能になった場合でも、切換えスイッチ１１にて接続を切換えることにより、マウス８やストロークキーボード１０を使用することができる。反対に、コンピュータ本体１が故障した場合でも、切換えスイッチ１１で切換えることにより、コンピュータ本体３を使用することができる。また、ＣＲＴ５、６が画面タッチ操作検出機能付であっても、その信号は切換えスイッチ１１で切換えられるので、使用することが可能となる。
このように、コンピュータ本体１、２、３と周辺機器であるＣＲＴ５、６、マウス７、８及びストロークキーボード９、１０及び画面タッチ操作検出機能を全て、この信号切換装置４にて切換えることにより、柔軟性、冗長性の高い構成を構築できる。
【００１２】
実施の形態１によれば、多種類のコネクタを有する信号切換装置で、コンピュータ本体と、周辺装置であるＣＲＴ、マウスおよびストロークキーボードとの接続を切換えることにより、柔軟性、冗長性の高いコンピュータシステムを構築することができる。
【図面の簡単な説明】
【００１３】
【図１】この発明の実施の形態１による信号切換装置を示すシステム構成図である。
【符号の説明】
【００１４】
１，２，３  コンピュータ本体
４  信号切換装置
５，６  ＣＲＴ
７，８  マウス
９，１０  ストロークキーボード
１１  切換えスイッチ。
【図１】
2006331102.tif 000003